(57)【要約】【課題】クーポン配信、制限付きコンテンツの配信、制限解除ができるクーポンシステム等を提供する。【解決手段】ポスター等の広告媒体に無線通信機能を持つＲ／Ｗ１５を設置したクーポン配信装置９は、無線機能付き携帯電話１１を認識し、クーポン情報、コンテンツおよび制限内容情報を配信する。携帯電話１１では、コンテンツは制限内容情報に応じた制限がかけらて表示される。ユーザが店舗でクーポンを用いて商品を購入すると制限が解除され、携帯電話で制限が解除されたコンテンツが表示される。【選択図】図１
2007272528.tif 000002
【特許請求の範囲】
【請求項１】
サーバと、クーポン配信装置と、クーポン読取装置がネットワーク接続されたクーポンシステムであって、
前記サーバは、
前記クーポン配信装置にクーポン情報、コンテンツならびに携帯端末上における前記コンテンツに対する制限を示す制限内容情報を送信し、前記クーポン読取装置にクーポン情報を送信する手段を有し、
前記クーポン配信装置は、
前記無線通信機能により前記携帯端末を認識する手段と、
認識された前記携帯端末に、前記クーポン情報、前記コンテンツと、前記制限内容情報とを送信する手段と、
を有し、
前記クーポン読取装置は、
前記携帯端末が受信したクーポン情報に応じて店舗で購入を行うと、前記携帯端末が受信した前記コンテンツに対する制限を解除する手段と、
を有することを特徴とするクーポンシステム。
【請求項２】
前記携帯端末では、前記クーポン配信装置から前記コンテンツを受信した際には、使用フラグが未使用となっており、前記制限内容情報に応じて制限された前記コンテンツが出力され、店舗で購入を行うと、前記使用フラグが使用となることにより、制限が解除された前記コンテンツが出力されることを特徴とする請求項１記載のクーポンシステム。
【請求項３】
前記携帯端末は、搭載しているＩＣチップに前記クーポン情報、前記コンテンツ、前記制限内容情報を保存することを特徴とする請求項１記載のクーポンシステム。
【請求項４】
前記コンテンツは、制限を解除した後、他の携帯端末、メモリ等にコピーできないことを特徴とする請求項１記載のクーポンシステム。
【請求項５】
コンピュータを、請求項１記載のサーバとして機能させることを特徴とするプログラム。
【請求項６】
コンピュータを、請求項１記載のクーポン配信装置として機能させることを特徴とするプログラム。
【請求項７】
コンピュータを、請求項１記載のクーポン読取装置として機能させることを特徴とするプログラム。
【発明の詳細な説明】
【技術分野】
【０００１】
本発明は、クーポン配信、制限付きコンテンツの配信、制限解除ができるクーポンシステム等に関する。
【背景技術】
【０００２】
従来より、小売店や飲食店等の店舗では、割引券を印刷した広告を配布したり、来店したユーザに割引券を配布することにより、店舗への来店を促したり、売り上げの向上を図っている。
また、近年では、携帯電話のような携帯用端末に割引券となるクーポンを電子データとして配布している。ユーザは、来店時に配布されたクーポンを携帯用端末上に表示して店員に提示することにより、商品の割引や無料サービス等を受けることができる。更に、クーポンと共におまけとなる画像や映像、音楽のような添付コンテンツを配信することにより、ユーザに対して特典を与え、来店を促すという方法がある。（特許文献１、特許文献２参照）
【０００３】
【特許文献１】特開２００５−２０９１１４号公報
【特許文献２】特開２００５−１７４１８０号公報
【発明の開示】
【発明が解決しようとする課題】
【０００４】
しかしながら、前記の方法では、添付コンテンツに何らかの制限を付け、ユーザが実際に店舗に来店してクーポンを使用した場合にその制限を解除するということが多く行われるが、一般的に携帯電話のような携帯用端末で制限を解除するため、Ｗｅｂに接続してサイトにアクセスし、解除キーの入力、認証等を行うという方法がとられる。この場合、Ｗｅｂ上からコンテンツをダウンロードした後に個人認証を行う等、ユーザは制限解除のための手間がかかる。
【０００５】
また、Ｗｅｂ上でコンテンツのダウンロードや解除キーの入力、認証等を行う場合、サイトへのアクセスが集中したり、携帯用端末の電波状態が悪いと、サイトへのアクセスができなかったり、通信が中断してしまったりして、ユーザは通信をやり直す必要がでてくる。また、サイトのサーバも処理能力の高いコンピュータを用意する必要がある。
更に、サイトのＵＲＬ（Uniform Resource Locator）は入手しやすく、制限解除のための解除キーさえわかれば、制限の解除は比較的容易に行うことができるため、おまけとなる添付コンテンツがクーポン利用への効果的な手段とならないということがある。
【０００６】
本発明は、このような問題に鑑みてなされたもので、その目的とするところはクーポン配信、制限付きコンテンツの配信、制限解除ができるクーポンシステム等を提供することにある。
【課題を解決するための手段】
【０００７】
前述した目的を達成するために第１の発明は、サーバと、クーポン配信装置と、クーポン読取装置がネットワーク接続されたクーポンシステムであって、前記サーバは、前記クーポン配信装置にクーポン情報、コンテンツならびに携帯端末上における前記コンテンツに対する制限を示す制限内容情報を送信し、前記クーポン読取装置にクーポン情報を送信する手段を有し、前記クーポン配信装置は、前記無線通信機能により前記携帯端末を認識する手段と、認識された前記携帯端末に、前記クーポン情報、前記コンテンツと、前記制限内容情報とを送信する手段と、を有し、前記クーポン読取装置は、前記携帯端末が受信したクーポン情報に応じて店舗で購入を行うと、前記携帯端末が受信した前記コンテンツに対する制限を解除する手段と、を有することを特徴とするクーポンシステムである。
【０００８】
ポスター等の広告媒体に無線通信機能を持つクーポン配信装置は、無線機能付き携帯端末を認識し、クーポン情報とおまけとなるコンテンツ、制限内容情報を配信する。携帯端末がクーポン配信装置からコンテンツを受信した際には、使用フラグが未使用となっており、携帯端末上でコンテンツを出力しようとすると、制限内容情報により制限がかけられる。携帯端末が受信したクーポンを店舗で使用して購入を行うと、使用フラグが使用となることにより、制限が解除されたコンテンツが出力される。
携帯端末は、搭載しているＩＣチップにクーポン情報、コンテンツ、制限内容情報を保存する。制限内容情報により制限をかけたコンテンツは、制限解除後、他の携帯端末、メモリ等にコピーできない。
【０００９】
第２の発明は、コンピュータを、第１の発明のサーバとして機能させることを特徴とするプログラムである。
【００１０】
第３の発明は、コンピュータを、第１の発明のクーポン配信装置として機能させることを特徴とするプログラムである。
【００１１】
第４の発明は、コンピュータを、第１の発明のクーポン読取装置として機能させることを特徴とするプログラムである。
【発明の効果】
【００１２】
本発明によれば、クーポン配信、制限付きコンテンツの配信、制限解除ができるクーポンシステム等を提供することができる。
【発明を実施するための最良の形態】
【００１３】
以下、添付図面を参照しながら、本発明の実施形態に係るクーポンシステム等の好適な実施形態について詳細に説明する。
【００１４】
最初に、図１を参照しながら、本実施の形態に係るクーポンシステム１の構成について説明する。
図１は、クーポンシステム１の構成を示すブロック図である。
【００１５】
クーポンシステム１は、広告主端末３、コンテンツサーバ５、クーポン配信装置９、クーポン読取装置１３がネットワーク２０を介して接続される。ネットワーク２０は、インターネット等のネットワークである。
【００１６】
広告主端末３はパーソナルコンピュータ等で、小売店、飲食店等の会社に設置され、ユーザに対して発行するクーポン、コンテンツ等をコンテンツサーバ５に登録する。
【００１７】
コンテンツサーバ５は、ネットワーク２０を介してクーポン配信装置９やクーポン読取装置１３に対しクーポン情報、コンテンツ等を送信するコンピュータで、広告主端末３と同じ会社内に設置してもよいし、あるいは、クーポン及びコンテンツ配信を専門に行う会社に設置してもよい。
コンテンツサーバ５は、配信するクーポン情報、コンテンツ等を含むコンテンツデータベース７を有する。
【００１８】
クーポン配信装置９は、鉄道の駅あるいは街中のポスター等の広告に設置されるもので、無線通信機能を持つＲ／Ｗ（リーダライタ）１５を接続している。Ｒ／Ｗ１５は、無線通信機能を持つ携帯電話１１を検知し、無線通信により通信を行い、クーポン情報、コンテンツ等を配信する。
【００１９】
携帯電話１１は、無線通信によりクーポン配信装置９からクーポン情報、制限付きコンテンツを取得する。クーポン配信装置９から配信される画像、映像、音楽等のコンテンツには制限がかけられており、例えば、コンテンツが画像の場合、画像の上に店舗の情報やクーポン情報、文字などを重ねたり、あるいは、モザイクなどの効果により見えにくくする。コンテンツが映像の場合、望遠鏡のように画面の一部しか見ることができなかったり、短時間しか見ることができなかったり、あるいは、画像の上に店舗の情報やクーポン情報、文字を重ねて見えにくくする。また、コンテンツが音楽の場合、短時間しか聞くことができないようにする。
【００２０】
携帯電話１１がクーポン情報と共に取得した制限付きコンテンツは、ユーザがクーポンを使用できる店舗に行き、クーポンを使用すると店舗に設置されているクーポン読取装置１３により制限が解除される。
クーポン読取装置１３は、小売店、飲食店等の店舗に設置されるもので、Ｒ／Ｗ（リーダライタ）１７、ユーザが商品あるいはサービスに対する支払いを行うレジ１９が接続されたものである。
ユーザが店舗でクーポンを使用し、店員がレジ１９にクーポンのＩＤ等を入力することにより、Ｒ／Ｗ１７と携帯電話１１が無線通信を行い、制限付きコンテンツの制限を解除する。
【００２１】
図２は、広告主端末３のハードウエア構成の一例を示す図である。広告主端末３は、バス２８により相互接続された制御部２１、記憶装置２２、メディア入出力部２３、入力部２４、印刷部２５、表示部２６、通信部２７等を有する。
【００２２】
制御部２１は、プログラムの実行を行うＣＰＵ(central
processing unit)と、プログラム命令あるいはデータ等を格納するためのＲＯＭ(read only memory)、ＲＡＭ(random access memory)等のメモリから構成される。制御部２１は、広告主端末３全体の動作を制御する。
【００２３】
記憶装置２２は、広告主端末３の制御プログラム等の固定データ、各種ファイル等を格納するための記憶媒体である。
メディア入出力部２３は、ＣＤ−ＲＯＭ(compact
disc read only memory)あるいはＣＤ−ＲＷ(CD-ReWritable)、フレキシブルディスク、ＭＯ(magneto optic disc)、スマートメディア、コンパクトフラッシュ（登録商標）、ミニＳＤ(secure digital)カード、ＳＤメモリカード、メモリスティック、ｘＤピクチャーカード、コンパクトディスク等の媒体のドライブで、媒体からのデータの読み出しや、媒体へのデータの書き込みを行う。
【００２４】
入力部２４は、キーボード、マウス等の入力装置である。
印刷部２５はプリンタで、ユーザからの要求により必要な情報等の印刷を行う。
表示部２６は、ＣＲＴ(cathode-ray
tube)あるいはＬＣＤ(liquid crystal
display)等の表示装置である。
通信部２７は、通信制御装置、通信ポート等であり、ネットワーク２０を介したコンテンツサーバ５等との通信を制御する。
【００２５】
図３は、コンテンツサーバ５のハードウエア構成の一例を示す図である。コンテンツサーバ５は、バス３８により相互接続された制御部３１、記憶装置３２、メディア入出力部３３、入力部３４、印刷部３５、表示部３６、通信部３７等を有する。
【００２６】
制御部３１は、プログラムの実行を行うＣＰＵと、プログラム命令あるいはデータ等を格納するためのＲＯＭ、ＲＡＭ等のメモリから構成される。制御部３１は、コンテンツサーバ５全体の動作を制御する。
【００２７】
記憶装置３２は、コンテンツサーバ５の制御プログラム等の固定データ、各種データ等を格納するための記憶媒体である。
メディア入出力部３３は、ＣＤ−ＲＯＭあるいはＣＤ−ＲＷ、フレキシブルディスク、ＭＯ等の媒体のドライブで、媒体からのデータの読み出しや、媒体へのデータの書き込みを行う。
【００２８】
入力部３４は、キーボード、マウス等の入力装置である。
印刷部３５はプリンタで、ユーザからの要求により必要な情報等の印刷を行う。
表示部３６は、ＣＲＴあるいはＬＣＤ等の表示装置である。
【００２９】
通信部３７は、通信制御装置、通信ポート等であり、ネットワーク２０を介した広告主端末３、クーポン配信装置９、クーポン読取装置１３等との通信を制御する。
【００３０】
図４は、コンテンツサーバ５が有するコンテンツデータベース７の詳細を示す図である。
コンテンツデータベース７は、コンテンツデータ４１、会社情報４２、ポスター情報４３、クーポン情報４４等を有する。
【００３１】
コンテンツデータ４１は、クーポン配信装置９を通して携帯電話１１に配信する画像、映像、音楽等のコンテンツである。コンテンツデータ４１のコンテンツは、制限はかけられていない。
【００３２】
会社情報４２は、広告主である会社に関する情報で、図５に示すように、会社を一意的に表す会社ＩＤ５１、会社名５２、会社のメールアドレス５３、会社のＵＲＬ５４等を有する。
【００３３】
ポスター情報４３は、クーポン配信装置９が設置されるポスターに関する情報で、図６に示すように、ポスターを一意的に表すポスターＩＤ６１、ポスターが設置されている「××駅○○番ホーム」、「×××ビル前」というような設置場所６２、ポスターが設置されている場所の住所６３等を有する。
【００３４】
クーポン情報４４は、広告主がクーポン配信装置９を通して携帯電話１１に配信するクーポンに関する情報で、クーポンを発行した会社を一意的に表す会社ＩＤ５１、クーポンを一意的に表すクーポンＩＤ７１、クーポンを携帯電話１１に配信するクーポン配信装置９が設置されるポスターを一意的に表すポスターＩＤ６１、クーポン名７２、クーポン使用期間７３、クーポンを使用する店舗情報７４、クーポンと一緒に配信されるコンテンツにかける制限の制限内容７６、クーポン配信期間７６等を有する。
【００３５】
次に、図８、９を参照しながら、クーポン配信装置９について説明する。図８は、クーポン配信装置９のハードウエア構成の一例を示す図、図９は、クーポン配信装置９の記憶装置８２の詳細を示す図である。
クーポン配信装置９は、バス８６により相互接続された制御部８１、記憶装置８２、入力部８３、表示部８４、通信部８５等を有する。
【００３６】
制御部８１は、プログラムの実行を行うＣＰＵと、プログラム命令あるいはデータ等を格納するためのＲＯＭ、ＲＡＭ等のメモリから構成される。制御部８１は、クーポン配信装置９全体の動作を制御する。
【００３７】
記憶装置８２は、制御プログラム等の固定データ、携帯電話１１に配信するクーポン情報、コンテンツ等のデータを格納するための記憶媒体である。
図９に示すように、記憶装置８２は、ＯＳ（Operating
System）９１、Ｒ／Ｗ１５を動作させ、携帯電話１１と通信するためのＲ／Ｗ用アプリ９２、携帯電話１１に配信するコンテンツデータ９３、携帯電話１１に配信するクーポン情報９４等を有する。
【００３８】
入力部８３は、配信装置９へのデータを入力するための入力装置である。
表示部８４は、ＬＣＤ等の表示装置である。
通信部８５は、通信制御装置、通信ポート等であり、ネットワーク２０を介したコンテンツサーバ５との通信や、Ｒ／Ｗ１５との通信を制御する。
【００３９】
次に、図１０、１１、１２を参照しながら、携帯電話１１について説明する。図１０は、携帯電話１１のハードウエア構成の一例を示す図、図１１は、ＩＣチップ１１０のハードウエア構成の一例を示す図、図１２は、ＩＣチップ１１０のメモリ１１４の詳細を示す図である。
【００４０】
携帯電話１１は、ＩＣチップ１１０を搭載しており、無線通信機能を有するもので、バス１０８により相互接続された制御部１０１、無線通信部１０２、表示部１０３、入力部１０４、通信処理部１０５、メモリ１０６、ＩＣチップインタフェース１０７を有する。
【００４１】
制御部１０１は、プログラムの実行を行うＣＰＵと、ＯＳ、プログラム命令あるいはデータ等を格納するためのＲＯＭ、一時的な作業用データを格納するためのＲＡＭ等のメモリから構成される。制御部１０１は、携帯電話１１全体を制御する。
【００４２】
無線通信部１０２はアンテナを有し、基地局（図示しない）との無線通信や、クーポン配信装置９及びクーポン読取装置１３との無線通信を制御する。無線通信部１０２は、制御部１０１の制御の下、音声に関するデータやパケット通信、無線通信用のデータ等の信号を生成し、アンテナを介して基地局と信号を送受信したり、クーポン配信装置９、クーポン読取装置１３と信号を送受信し、受信した信号を復調して音声に関するデータやパケット通信、無線通信用のデータを取得したりする。
【００４３】
表示部１０３は液晶表示パネルを有し、液晶表示パネルへの表示制御を行う。
入力部１０４は、数字や文字、操作指示を入力するためのキーボタンを有し、キーボタンの操作に応じた信号を制御部１０１に出力する。
通話処理部１０５は、マイクロフォンやスピーカ、音声処理部等を有し、制御部１０１の制御により呼接続、切断処理を含む通話処理を行う。
メモリ１０６は、携帯電話機１１にインストールされているアプリケーションプログラムや、電話番号及びメールアドレス等のアドレス帳データ等が格納されている。
ＩＣチップインタフェース１０７は、携帯電話機１１に搭載されたＩＣチップ１１０と携帯電話機１１との間の通信を制御する。
【００４４】
図１１に示すように、ＩＣチップ１１０は、ＣＰＵ１１１、ＲＯＭ１１２、ＲＡＭ１１３、メモリ１１４がバス１１５を介して接続される。
【００４５】
ＣＰＵ１１１は、プログラムの実行を行う。ＲＯＭ１１２は、プログラム命令あるいはデータ等を格納する。ＲＡＭ１１３は、プログラムの実行中、一時的にデータ等を格納する。
【００４６】
メモリ１１４は、ＩＣチップ１１０の動作に必要となるデータ等を保存している。
図１２に示すように、メモリ１１４はＩＣチップシリアル番号、加入者識別情報の他、携帯電話１１で動作する携帯電話用アプリケーションのためのサービスデータ１２０−１、１２０−２、１２０−３、・・・を有する。
サービスデータ１２０は、それぞれサービスを一意的に表すＩＤ１２１、サービスのパスワード１２２、サービスのための保存領域１２３を有する。ＩＤ１２１、パスワード１２２は携帯電話１１の所有者が入力するものではなく、携帯電話用のアプリケーションの開発者が携帯電話会社に対して申請するものである。
【００４７】
保存領域は、サービスのためのアプリケーションで必要となるデータを保存する領域で、コンテンツデータ１２４、クーポン情報１２５を含む。コンテンツデータ１２４は、様々な広告主から配信される多数のコンテンツデータ１２４−１、１２４−２、１２４−３、・・・を含む。また、クーポン情報１２５も様々な広告主から配信される多数のクーポン情報１２５−１、１２５−２、１２５−３、・・・を含む。
【００４８】
クーポン情報１２５は、クーポン配信装置９を通して携帯電話１１に配信するクーポンそれぞれに関する情報で、クーポンを発行した会社を一意的に表す会社ＩＤ５１、クーポンを一意的に表すクーポンＩＤ７１、クーポンを携帯電話１１に配信するクーポン配信装置９が設置されるポスターを一意的に表すポスターＩＤ６１、クーポン名７２、クーポン使用期間７３、クーポンを使用する店舗情報７４、クーポン使用による割引、サービス内容を示すクーポン内容７５、クーポンと一緒に配信されるコンテンツにかける制限の制限内容７６、そのクーポンを店舗で使用したかどうかを示す使用フラグ１２６等を有する。
【００４９】
使用フラグ１２６は、クーポン配信装置９から携帯電話１１に配信された時点においては「未使用」となっている。
使用フラグ１２６が「未使用」の場合、このクーポン情報と一緒に配信されたコンテンツに対して制限内容７６で指定された制限をかける。使用フラグ１２６が「使用」の場合、このクーポン情報と一緒に配信されたコンテンツに対して制限はかけない。
【００５０】
次に、図１３、１４、１５を参照しながら、クーポン読取装置１３について説明する。図１３は、クーポン読取装置１３のハードウエア構成の一例を示す図、図１４は、クーポン読取装置１３の記憶装置１３２の詳細を示す図、図１５は、レジ１９のハードウエア構成の一例を示す図である。
【００５１】
図１３に示すようにクーポン読取装置１３は、バス１３６により相互接続された制御部１３１、記憶装置１３２、入力部１３３、表示部１３４、通信部１３５等を有する。
【００５２】
制御部１３１は、プログラムの実行を行うＣＰＵと、プログラム命令あるいはデータ等を格納するためのＲＯＭ、ＲＡＭ等のメモリから構成される。制御部１３１は、クーポン読取装置１３全体の動作を制御する。
【００５３】
記憶装置１３２は、制御プログラム等の固定データ、クーポンに関する情報等を格納する記憶媒体である。
図１４に示すように、クーポン読取装置１３全体を制御するためのＯＳ１５１、Ｒ／Ｗ１７の動作を制御するためのＲ／Ｗ用アプリ１５２、クーポン情報１５３等を有する。
【００５４】
入力部１３３は、クーポン読取装置１３へのデータを入力するための入力装置である。
表示部１３４は、ＬＣＤ等の表示装置である。
通信部１３５は、通信制御装置、通信ポート等であり、ネットワーク２０を介したコンテンツサーバ５との通信や、Ｒ／Ｗ１７、レジ１９との通信を制御する。
【００５５】
図１５に示すように、レジ１９は、バス１４６により相互接続された制御部１４１、記憶装置１４２、入力部１４３、表示部１４４、通信部１４５等を有する。
【００５６】
制御部１４１は、プログラムの実行を行うＣＰＵと、プログラム命令あるいはデータ等を格納するためのＲＯＭ、ＲＡＭ等のメモリから構成される。制御部１４１は、レジ１９全体の動作を制御する。
記憶装置１４２は、制御プログラム等の固定データ、商品に関する情報等を格納する記憶媒体である。
【００５７】
入力部１４３は、レジ１９へのデータを入力するためのキーボタン等の入力装置である。
表示部１４４は、商品に関する情報、クーポンに関する情報等を表示するためのＬＣＤ等の表示装置である。
通信部１４５は、通信制御装置、通信ポート等であり、Ｒ／Ｗ１７との通信やＰＯＳ（Point Of Sales system）システムとの通信を制御する。
【００５８】
次に、図１６、１７、１８、１９、２０、２１を参照しながら、携帯電話１１へのクーポン情報、制限付きクーポンの配信と、制限付きクーポンの制限解除について説明する。図１６は、広告主端末３からコンテンツサーバ５にクーポン情報、コンテンツを登録する動作のフローチャート、図１７は、クーポン配信装置９から携帯電話１１にクーポン情報、制限付きコンテンツを配信する動作のフローチャート、図１８は、携帯電話１１上でのクーポン情報の一覧の画面の一例を示す図、図１９は、携帯電話１１上でのクーポン情報詳細の画面の一例を示す図、図２０は、携帯電話１１から携帯電話１１‘へのクーポン情報を配信する動作のフローチャート、図２１は、クーポン読取装置１３が携帯電話１１の制限付きコンテンツの制限を解除する動作のフローチャートである。
【００５９】
図１６に示すように、広告主端末３の制御部２１は、携帯電話１１等の携帯用端末に配信するクーポン情報とおまけとなるコンテンツを、ネットワーク２０を介してコンテンツサーバ５に送る（ステップ２０１）。
【００６０】
コンテンツサーバ５は、広告主端末３からのクーポン情報とコンテンツを受信し、コンテンツデータベース７のクーポン情報４４、コンテンツデータ４１として登録する（ステップ２０２）。そして、クーポン情報４４のクーポン配信期間７６の開始日に、ネットワーク２０を介してクーポン配信装置９に、ポスターＩＤ６１をキーとしてクーポン情報４４とコンテンツデータ４１を送る。また、クーポン読取装置１３に会社ＩＤ５１をキーとしてクーポン情報４４を送る（ステップ２０３）。
【００６１】
クーポン配信装置９の制御部８１は、コンテンツサーバ５からのクーポン情報４４とコンテンツデータ４１を受信し、記憶装置８２に保存する（ステップ２０４）。クーポン読取装置１３の制御部１３１は、コンテンツサーバ５からのクーポン情報４４を受信し、記憶装置１３２のクーポン情報１５３に格納する（ステップ２０５）。
【００６２】
図１７に示すように、クーポン配信装置９から携帯電話１１にクーポン情報とコンテンツを配信する動作では、クーポン配信装置９の制御部８１は、Ｒ／Ｗ用アプリ９２からの指示により、常に携帯電話１１に対する接触／非接触をＲ／Ｗ１５に要求する（ステップ３０１）。
【００６３】
クーポン配信装置９の制御部８１は、携帯電話１１を検知すると、Ｒ／Ｗ用アプリ９２に通知し（ステップ３０２）、Ｒ／Ｗ用アプリ９２の指示により、クーポン配信装置９の制御部８１はＲ／Ｗ１５を介して、携帯電話１１に搭載しているＩＣチップ１１０のメモリ１１４内に使用可能なＩＤ１２１を持つ保存領域１２３があるかどうかを問い合わせる。
【００６４】
携帯電話１１のＩＣチップ１１０のＣＰＵ１１１は、使用可能なＩＤ１２１を持つ保存領域１２３があるかどうかを応答し（ステップ３０４）、使用可能な保存領域１２３がある場合、クーポン配信装置９の制御部８１は、Ｒ／Ｗ用アプリ９２により携帯電話１１へのクーポン情報、コンテンツの送信をＲ／Ｗ１５に指示し、Ｒ／Ｗ１５は、携帯電話１１にクーポン情報とコンテンツを送る（ステップ３０５）。
これらの動作では、携帯電話１１の携帯用アプリは起動されず、Ｒ／Ｗ１５とＩＣチップ１１０間で通信が行われる。
【００６５】
携帯電話１１のＩＣチップ１１０のＣＰＵ１１１は、メモリ１１４クーポン情報１２５、コンテンツデータ１２４に受信したクーポン情報とコンテンツを保存する。この時点で、クーポン情報１２５−ｎの使用フラグ１２６は「未使用」とする。
【００６６】
携帯電話１１のユーザは、携帯電話１１の表示部１０３上で保持しているクーポンの確認ができる。メニューからクーポン一覧参照を選択すると、図１８に示すように、携帯電話１１の制御部１０１は、ＩＣチップ１１０のメモリ１１４内のクーポン情報１２５のクーポン名７２を参照し、表示部１０３にクーポン一覧を表示する。
【００６７】
表示部１０３に表示されたクーポン一覧の中で、各クーポンに対応する詳細ボタン１６１を選択すると、図１９に示すように、携帯電話１１の制御部１０１はＩＣチップ１１０のメモリ１１４内の選択されたクーポンに関するクーポン情報１２５−ｎを参照し、選択したクーポンに関する詳細な情報を携帯電話１１の表示部１０３に表示する。
例えば、クーポン一覧で「×××弁当」の詳細ボタン１６１を選択すると、クーポン情報１７１として「３／１〜３／１５の期間、×××弁当○○店において、クーポンを提示すると××弁当が１００円引き」という情報が表示される。「３／１〜３／１５」という期間に関する情報はクーポン使用期間７３を、「×××弁当○○店」という店舗に関する情報は店舗情報７４を、「××弁当が１００円引き」という割引に関する情報はクーポン内容７５を参照して表示する。
【００６８】
クーポン詳細の画面において、配布１７３を選択すると、携帯電話１１の制御部１０１は、図２０に示すように他の携帯電話１１‘に対して、詳細を表示しているクーポンを配布することもできる。
ユーザがクーポン詳細の画面において配布１７３を選択すると、携帯電話１１の制御部１０１は基地局（図示しない）、ネットワーク２０を介して、コンテンツサーバ５に携帯電話１１‘へのクーポン情報の配布を要求する（ステップ４０１）。
【００６９】
コンテンツサーバ５の制御部３１は、ネットワーク２０、基地局（図示しない）を介して指定された携帯電話１１‘にクーポン情報１２５を受信するように通知すると（ステップ４０２）、携帯電話１１’の制御部１０１は基地局（図示しない）、ネットワーク２０を介してコンテンツサーバ５からの通知を受信し、コンテンツサーバ５に接続してクーポン情報を受信する（ステップ４０３）。
【００７０】
携帯電話１１のユーザは、クーポン詳細の画面においてコンテンツ確認１７５を選択することにより、クーポン情報１２５のおまけとして配信されたコンテンツデータ１２４を確認することができる。
コンテンツデータ１２５の確認では、携帯電話１１の制御部１０１はＩＣチップ１１０のメモリ１１４内のクーポン情報１２５の制限内容７６、使用フラグ１２６に応じて、コンテンツデータ１２４の確認に対して制限をかけるかどうかを判断する。
使用フラグ１２６が「未使用」の場合、携帯電話１１の制御部１０１は、コンテンツデータ１２４に対して制限内容７６で指定された制限をかける。一方、使用フラグ１２６が「使用」の場合、携帯電話１１の制御部１０１は、コンテンツデータ１２４に対して制限はかけない。
【００７１】
ＩＣチップ１１０のメモリ１１４内に保存されているコンテンツデータ１２４は、制限が解除された場合、即ち使用フラグが「使用」の時のみ、携帯電話１１のメモリ１０６に保存することが可能である。ただし、コンテンツデータ１２４を携帯電話１１のメモリ１０６にコピーする際、パラメータとして「赤外線通信を許可しない」、「外部メモリへの転送を許可しない」とすることにより、制限をかけていないコンテンツデータを外部へ不正に移すことを防止する。
【００７２】
コンテンツデータ１２４の制限を解除するには、即ち、クーポン情報１２５の使用フラグを「未使用」から「使用」に変更するには、小売店、飲食店等の店舗で対応するクーポンを使用して商品、サービスの購入をする必要がある。
図２１に示すように、ユーザが店舗でクーポンを用いて商品、サービスを購入すると、店員はレジ１９に使用したクーポンのクーポンＩＤを入力する。レジ１９はクーポンＩＤをクーポン読取装置１３に送り、クーポン読取装置１３の制御部１３１は、Ｒ／Ｗ用アプリ１５２によりＲ／Ｗ１７に接触／非接触を要求する（ステップ５０１）。
【００７３】
ユーザが携帯電話１１をクーポン読取装置１３のＲ／Ｗ１７にかざすと、Ｒ／Ｗ１７が携帯電話１１を検知し、Ｒ／Ｗ用アプリ１５２に通知する（ステップ５０２）。
Ｒ／Ｗ用アプリ１５２の指示により、Ｒ／Ｗ１７は携帯電話１１に搭載しているＩＣチップ１１０のメモリ１１４内に使用可能なＩＤ１２１を持つ保存領域１２３があるかどうかを問い合わせる（ステップ５０３）。
【００７４】
携帯電話１１のＩＣチップ１１０のＣＰＵ１１１は、使用可能なＩＤ１２１を持つ保存領域１２３があるかどうかを応答し（ステップ５０４）、使用可能な保存領域１２３がある場合、クーポン読取装置１３の制御部１３１はＲ／Ｗ用アプリ１５２の指示により、Ｒ／Ｗ１７を通して携帯電話１１のＩＣチップ１１０の保存領域１２３のクーポン情報１２５の中に、入力されたクーポンＩＤがあるかどうかを問い合わせる（ステップ５０５）。
【００７５】
携帯電話１１の制御部１０１は、保存領域１２３のクーポン情報１２５の中に入力されたクーポンＩＤがあるかどうか検索し、その結果をクーポン読取装置１３に通知する（ステップ５０６）。保存領域１２３のクーポン情報１２５の中に入力されたクーポンＩＤがあった場合、クーポン読取装置１３の制御部１３１はＲ／Ｗ１７を通して携帯電話１１にコンテンツデータの制限解除を要求する（ステップ５０７）。
携帯電話１１の制御部１０１は、ＩＣチップ１１０のメモリ１１４内の指定されたクーポン情報１２５の制限内容７６を「未使用」から「使用」に変更し（ステップ５０８）、携帯電話１１のユーザは、コンテンツデータを制限なしで確認することが可能となる。
【００７６】
このように本実施によれば、無線機能付き携帯電話、無線機能付きクーポン配信装置を用いて、クーポン情報に制限付きコンテンツを添付し、配信されたクーポンを使用することにより制限を解除することにより、ユーザの購買意欲を高めることができる。
【００７７】
また、携帯電話に配信された制限付きコンテンツは他の携帯電話に配布することができるが、制限を解除したコンテンツは他の携帯電話、外部メモリへコピーすることができないようにすることにより、安全なコンテンツの配信と、クーポン使用の促進が可能となる。
【００７８】
以上、添付図面を参照しながら本発明に係るクーポンシステムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【図面の簡単な説明】
【００７９】
【図１】クーポンシステム１の構成を示すブロック図
【図２】広告主端末３のハードウエア構成の一例を示す図
【図３】コンテンツサーバ５のハードウエア構成の一例を示す図
【図４】コンテンツサーバ５が有するコンテンツデータベース７の詳細を示す図
【図５】会社情報４２の一例を示す図
【図６】ポスター情報４３の一例を示す図
【図７】クーポン情報４４の一例を示す図
【図８】クーポン配信装置９のハードウエア構成の一例を示す図
【図９】クーポン配信装置９の記憶装置８２の詳細を示す図
【図１０】携帯電話１１のハードウエア構成の一例を示す図
【図１１】ＩＣチップ１１０のハードウエア構成の一例を示す図
【図１２】ＩＣチップ１１０のメモリ１１４の詳細を示す図
【図１３】クーポン読取装置１３のハードウエア構成の一例を示す図
【図１４】クーポン読取装置１３の記憶装置１３２の詳細を示す図
【図１５】レジ１９のハードウエア構成の一例を示す図
【図１６】広告主端末３からコンテンツサーバ５にクーポン情報、コンテンツを登録する動作のフローチャート
【図１７】クーポン配信装置９から携帯電話１１にクーポン情報、制限付きコンテンツを配信する動作のフローチャート
【図１８】携帯電話１１上でのクーポン情報の一覧の画面の一例を示す図
【図１９】携帯電話１１上でのクーポン情報詳細の画面の一例を示す図
【図２０】携帯電話１１から携帯電話１１‘へのクーポン情報を配信する動作のフローチャート
【図２１】クーポン読取装置１３が携帯電話１１の制限付きコンテンツの制限を解除する動作のフローチャート
【符号の説明】
【００８０】
１………クーポンシステム
３………広告主端末
５………コンテンツサーバ
７………コンテンツデータベース
９………クーポン配信装置
１１………携帯電話
１３………クーポン読取装置
１５………Ｒ／Ｗ
１７………Ｒ／Ｗ
２０………ネットワーク
【図１】
2007272528.tif 000003
【図２】
2007272528.tif 000004
【図３】
2007272528.tif 000005
【図４】
2007272528.tif 000006
【図５】
2007272528.tif 000007
【図６】
2007272528.tif 000008
【図７】
2007272528.tif 000009
【図８】
2007272528.tif 000010
【図９】
2007272528.tif 000011
【図１０】
2007272528.tif 000012
【図１１】
2007272528.tif 000013
【図１２】
2007272528.tif 000014
【図１３】
2007272528.tif 000015
【図１４】
2007272528.tif 000016
【図１５】
2007272528.tif 000017
【図１６】
2007272528.tif 000018
【図１７】
2007272528.tif 000019
【図１８】
2007272528.tif 000020
【図１９】
2007272528.tif 000021
【図２０】
2007272528.tif 000022
【図２１】
2007272528.tif 000023